(57)【要約】【課題】放熱効果の高いデータ記憶装置、印刷装置を提供する。【解決手段】少なくとも、情報を記憶するメモリー８１，８２を含む電子部品と、情報の伝達を行う接続端子４３と、を備えるデータ記憶装置３００の筐体３１の構造であって、前記筐体３１は、前記接続端子４３が露出する開口部３６，３７および／または複数の第１通気孔３５が形成された筐体外面３３ｂと、前記筐体外面３３ｂと所定の間隙ｎを空けて前記筐体３１の内部に配設されるとともに複数の第２通気孔４０が形成された内壁３９とを有し、前記第１通気孔３５と前記第２通気孔４０とは、互い違いに配置されている。【選択図】図７
2011116043.tif 000002
【特許請求の範囲】
【請求項１】
少なくとも、情報を記憶するメモリーを含む電子部品と、情報の伝達を行う接続端子と、を備えるデータ記憶装置の筐体の構造であって、
前記筐体は、前記接続端子が露出する開口部および／または複数の第１通気孔が形成された筐体外面と、前記筐体外面と所定の間隙を空けて前記筐体の内部に配設されるとともに複数の第２通気孔が形成された内壁と、を有し、
前記第１通気孔と前記第２通気孔とは、互い違いに配置されていることを特徴とするデータ記憶装置の筐体の構造。
【請求項２】
前記筐体外面の前記第１通気孔と、前記内壁の前記第２通気孔とは、同一ピッチで形成され、配列方向に１ピッチずれて配置されていることを特徴とする請求項１に記載のデータ記憶装置の筐体の構造。
【請求項３】
前記筐体は、少なくとも、前記第１通気孔が形成された前記筐体外面を有する第１筐体と、前記第２通気孔が形成された前記内壁を有する第２筐体から構成されることを特徴とする請求項１または２に記載のデータ記憶装置の筐体の構造。
【請求項４】
前記第１筐体の前記筐体外面と前記第２筐体の前記内壁は、前記筐体の側面から見て、重なるように組み合わされ、
前記第１通気孔は前記内壁の壁面に対向し、前記第２通気孔は前記筐体外面の壁面に対向し、
前記第１通気孔と前記第２通気孔は互いに貫通しないようにそれぞれ配置されていることを特徴とする請求項３に記載のデータ記憶装置の筐体の構造。
【請求項５】
記録用紙に情報を印刷する印刷部と、
少なくとも、前記印刷部を備える印刷装置本体部と、
請求項１乃至４のいずれか一項に記載の筐体の構造を有するとともに、前記情報を記憶する記憶部を含む電子部品と、前記情報の伝達を行う接続端子とを有するデータ記憶装置と、を備え、
前記印刷装置本体部と前記データ記憶装置とは、前記接続端子によって着脱可能に接続されていることを特徴とする印刷装置。
【請求項６】
前記データ記憶装置は、前記筐体内部に前記印刷装置本体部の動作を制御する制御部を備えていることを特徴とする請求項５に記載の印刷装置。
【請求項７】
設置面に対し、前記データ記憶装置は前記印刷部より近距離に配置されていることを特徴とする請求項５または６に記載の印刷装置。
【発明の詳細な説明】
【技術分野】
【０００１】
本発明は、物品販売における会計処理に伴うデータを記憶するデータ記憶装置の筐体の構造、および、そのデータ記憶装置を備えた印刷装置に関する。
【背景技術】
【０００２】
販売、物流、商流の業界においては、会計情報を処理する各種システム（ＰＯＳシステム等）が用いられている。このようなシステムにおいて、会計情報を記録して発行するために印刷装置としてのプリンターが用いられる。この種のプリンターとしては、フィスカルプリンターと呼ばれるものがある。フィスカルプリンターは、会計情報を記録して発行する印刷部と記録した会計情報を記憶するデータ記憶装置とを備えている。
【０００３】
このデータ記憶装置に記憶されるデータは、例えば、徴税を確実なものとするために用いられる。そのため、データ記憶装置は、会計情報に基づくデータが改ざんできないような構造であることが望まれる。データの改ざんを目的とした外部からの機械的アクセスを防止するために、データを記憶するメモリー（ＲＯＭ）等の電子部品を実装した基板を、接続端子部分のみを露出させ、その他の部分を密閉状態で筐体に収納している（例えば、特許文献１参照）。近年、この種のデータ記憶装置は、法律（フィスカル法：例えば、ブラジルのＣｏｎｖｅｎｔｉｏｎｓ法）よりメモリー部品以外にプリンターの駆動回路や制御回路を収容することが求められている。
【先行技術文献】
【特許文献】
【０００４】
【特許文献１】国際公開第ＷＯ２００７／１０２１２１Ａ２号パンフレット
【発明の概要】
【発明が解決しようとする課題】
【０００５】
上述のデータ記憶装置においては、自己発熱する電子部品が実装された基板が、密閉状態の筐体に収納される。このような場合、電子部品の発熱により筐体内部の温度が上昇する。そのため、発熱電子部品は、過度な温度上昇によって特性が変動する虞があり、極端な場合は熱破壊する危険性を有する。また、その他の電子部品も、雰囲気温度の上昇により特性が変動する虞がある。
【課題を解決するための手段】
【０００６】
本発明は、上述の課題の少なくとも一部を解決するためになされたものであり、以下の形態または適用例として実現することが可能である。
【０００７】
（適用例１）少なくとも、情報を記憶するメモリーを含む電子部品と、情報の伝達を行う接続端子と、を備えるデータ記憶装置の筐体の構造であって、前記筐体は、前記接続端子が露出する開口部および／または複数の第１通気孔が形成された筐体外面と、前記筐体外面と所定の間隙を空けて前記筐体の内部に配設されるとともに複数の第２通気孔が形成された内壁と、を有し、前記第１通気孔と前記第２通気孔とは、互い違いに配置されていることを特徴とするデータ記憶装置の筐体の構造。
【０００８】
この構成によれば、データ記憶装置の筐体は、筐体外面に複数の第１通気孔が設けられ、筐体の内部に筐体外面と所定の間隙を空けて複数の第２通気孔が設けられた内壁を有する。そして、第１通気孔と第２通気孔とは、互い違い、すなわち、第１通気孔および第２通気孔の開口部分が一致しないように配置されている。そのため、ピン等による筐体の外部から機械的なアクセスを防止することができる。また、自己発熱する電子部品が収納される筐体の内部空間は、筐体外面の第１通気孔と内壁の第２通気孔とを介して屈曲した通気経路によって外部空間とつながっている。そのため、温度上昇した内部の空気を外部に放出することができ、筐体内部の過度な温度上昇を防止することができる。
【０００９】
（適用例２）前記筐体外面の前記第１通気孔と、前記内壁の前記第２通気孔とは、同一ピッチで形成され、配列方向に１ピッチずれて配置されていることを特徴とする上記のデータ記憶装置の筐体の構造。
【００１０】
この構成によれば、外面の第１通気孔と内壁の第２通気孔との開口部分が一致しないように配置することができる。
【００１１】
（適用例３）前記筐体は、少なくとも、前記第１通気孔が形成された前記筐体外面を有する第１筐体と、前記第２通気孔が形成された前記内壁を有する第２筐体から構成されることを特徴とする上記のデータ記憶装置の筐体の構造。
【００１２】
この構成によれば、第１通気孔と第２通気孔を有する筐体に、基板等の内容物を収納した後、容易に組み込むことができる。
【００１３】
（適用例４）前記第１筐体の前記筐体外面と前記第２筐体の前記内壁は、前記筐体の側面から見て、重なるように組み合わされ、前記第１通気孔は前記内壁の壁面に対向し、前記第２通気孔は前記筐体外面の壁面に対向し、前記第１通気孔と前記第２通気孔は互いに貫通しないようにそれぞれ配置されていることを特徴とする上記のデータ記憶装置の筐体の構造。
【００１４】
この構成によれば、第１通気孔と第２通気孔を有する筐体に、基板等の内容物を容易に組み込み、さらに第１通気孔と第２通気孔により貫通孔を形成されることがないため、筐体の外部からの異物の侵入や、機械的なアクセスを防止することができる。
【００１５】
（適用例５）記録用紙に情報を印刷する印刷部と、少なくとも前記印刷部を備える印刷装置本体部と、上記の筐体の構造を有するとともに、前記情報を記憶する記憶部を含む電子部品と、前記情報の伝達を行う接続端子とを有するデータ記憶装置と、を備え、前記印刷装置本体部と前記データ記憶装置とは、前記接続端子によって着脱可能に接続されていることを特徴とする印刷装置。
【００１６】
この構成によれば、印刷装置は、情報（会計情報）を印刷できるとともに、必要な情報をメモリーなどの記憶部に記憶することができる。また、データ記憶装置は、ピン等による機械的なアクセスを防止する構造でありながら、温度上昇した内部の空気を外部に放出することができ、データ記憶装置内部の過度な温度上昇を防止することができる。
【００１７】
（適用例６）前記データ記憶装置は、前記筐体内部に前記印刷装置本体部の動作を制御する制御部を備えていることを特徴とする上記の印刷装置。
【００１８】
これらの構成によれば、データ記憶装置は、メモリーおよび印刷装置本体部の制御部を有している。すなわち、メモリーを外した状態では印刷できない。そのため、レシートとして発行する会計情報の内の必要情報を確かにメモリーに記憶することができる。
【００１９】
（適用例７）設置面に対し、前記データ記憶装置は前記印刷部より近距離に配置されていることを特徴とする上記の印刷装置。
【００２０】
熱等が発生する印刷部を上方へ配置することにより、データ記憶装置は印刷部の発生する熱の影響を避けることができる。
【図面の簡単な説明】
【００２１】
【図１】サーマルプリンターの外観構成を示す斜視図。
【図２】カバーフレームが開いた状態のプリンター機構部の斜視図。
【図３】カバーフレームが閉じた状態のプリンター機構部の斜視図。
【図４】サーマルプリンターの概略側断面図。
【図５】サーマルヘッドの外観斜視図。
【図６】データ記憶装置の外観を示す図。
【図７】データ記憶装置の筐体の構造を説明する図。
【図８】データ記憶装置およびプリンター本体部の構成を示すブロック図。
【図９】データ記憶装置とプリンター本体部との関係を示す斜視図。
【発明を実施するための形態】
【００２２】
以下、本実施形態を、図面を参照して説明する。なお、以下の説明で参照する図面では、説明および図示の便宜上、部材ないし部分の縦横の縮尺を実際のものとは異なるように表す場合がある。
【００２３】
（印刷装置の全体構成について）
本実施形態の印刷装置として、サーマルプリンターを例にとり図１〜４を参照して説明する。図１は、サーマルプリンターの外観構成を示す斜視図である。図２および図３は、プリンター機構部の外観を示す斜視図であり、詳しくは、図２は、カバーフレームが開いた状態のプリンター機構部の斜視図であり、図３は、カバーフレームが閉じた状態のプリンター機構部の斜視図である。図４は、サーマルプリンターの側断面図である。
【００２４】
このサーマルプリンターは、フィスカルプリンターとして用いられ、レシート等に会計情報を印刷して発行することや、この会計情報をデータとして記憶することに適用される。サーマルプリンターは、記録用紙としてロール状の感熱紙を使用して、この感熱紙に会計情報を印刷して発行する。また、会計情報の中の、例えば税金に関する情報をフィスカルデータとしてフィスカルメモリーに記憶する。なお、図１〜図４に示すＸ方向は、印刷される感熱紙の幅方向を示し、Ｚ方向は、印刷ヘッドとしてのサーマルヘッド部での感熱紙の紙送り方向を示し、Ｙ方向は、Ｘ方向およびＺ方向と直交する方向を示す。
【００２５】
図４に示すように、サーマルプリンター１００は、印刷装置本体部としてのプリンター本体部１８０とデータ記憶装置３００とから構成される。プリンター本体部１８０は、プリンター機構部１５０と、外装ケース２００とから構成される。後述するデータ記憶装置３００は、プリンター本体部１８０に装着可能に接続される。
【００２６】
図２〜４に示すプリンター機構部１５０は、図１に示す外装ケース２００に収容される。詳しくは、プリンター機構部１５０は、樹脂等からなる下ケース２０５の上部に固定され、側面部および後方部は、上ケース２１０に覆われており、そのＹ方向の前方部分は、パネル２１５により覆われている。プリンター機構部１５０の上面は上部カバー２２０に覆われている。データ記憶装置３００は、下ケース２０５の下部に内部接続端子４３およびコネクター９１を介して配置される。
【００２７】
図１に示すように、上ケース２１０の上面のＸ方向の一方の側には、オープンボタン２３０が設けられている。オープンボタン２３０は、図１中矢印Ｂ方向に押し下げられることによって、プリンター機構部１５０に設けられたカバーオープンレバー２３５を、支点２４０を中心に回転させることができる。カバーオープンレバー２３５は、図２に示すカバーフレーム１２のロック機構と係合しており、時計方向に回転されることにより、ロック機構が解除される。さらに、カバーフレーム１２は、上部カバー２２０と結合されている。そのため、上部カバー２２０が矢印Ｃ方向に開き、ロール紙ホルダー５０が露出する。すなわち、この状態が、図２に示すプリンター機構部１５０のカバーフレーム１２が開いた状態である。このようにすることにより、ロール状の感熱紙Ｓのセットもしくは取り出しができる。
【００２８】
なお、本実施形態で使用する感熱紙Ｓは、発色剤がバインダー等により保持されている発色層からなる印刷面を有し、この印刷面を外面に順次積層され構成されているロール状の感熱紙Ｓである。以降、このロール状の感熱紙をロール紙Ｒと呼ぶ。
【００２９】
（プリンター機構部の全体構成について）
ここで、プリンター機構部の詳細を図２〜５を参照して説明する。図５はサーマルヘッドの外観斜視図である。なお、図５に示すＸ方向およびＺ方向は、図１〜４に示すＸ方向およびＺ方向と同一方向である。図２〜４に示すように、プリンター機構部１５０は、本体フレーム６０と、カバーフレーム１２と、ロール紙ホルダー５０と、カッター部２０と、印刷部７０と、を備えている。
【００３０】
図２に示すように、本体フレーム６０は、板金等からなり、Ｚ方向上方およびＹ方向前方に開口を有する略箱型に形成されている。カバーフレーム１２は、本体フレーム６０の上部後方に設けられている。カバーフレーム１２は、本体フレーム６０の後部両側の上端部に設けられた支軸６８を中心として開閉自在に取り付けられている。カバーフレーム１２には、カバーフレーム１２を閉じた際にロール紙Ｒとの接触を避けるための円弧状の覆い１５が設けられている。また、サーマルプリンター１００の設置角度を変える場合、すなわち、例えば縦置きにする場合、この覆い１５は、ロール紙Ｒを受ける保持部材としても機能する。
【００３１】
図２に示すように、ロール紙ホルダー５０は、本体フレーム６０の箱状に形成された内部の後方に、上記カバーフレーム１２に覆われて設けられている。ロール紙ホルダー５０は、樹脂等により形成され、中央部にロール紙Ｒの最大径に相当する略円弧状のくぼみを有し、本体フレーム６０の底部に、円弧状のくぼみの側面開口が本体フレーム６０の両側面側に向くように取り付けられている。本体フレーム６０の内側の両側面部分は、ロール紙Ｒの側面ガイド部として機能する。そのため、ロール紙Ｒは、側面を本体フレーム６０の内側の両側面部分に幅方向の動きを規制され、ロール紙ホルダー５０の略円弧状のくぼみに回転自在に保持される。
【００３２】
（カッター部について）
図４に示すように、カッター部２０は、本体フレーム６０の前方すなわちカバーフレーム１２の支軸６８とは相対する位置であって紙出口Ｇの近傍に設けられている。カッター部２０は、可動刃２１とその駆動手段２２と固定刃２７とを備えている。可動刃２１とその駆動手段２２とは、第１カッターカバー２４内に収容され本体フレーム６０側に配置されている。可動刃２１は、駆動手段２２により図中矢印Ｅ方向に往復移動する。固定刃２７は、第２カッターカバー２９内に収容されカバーフレーム１２側、すなわち、感熱紙Ｓが通過する搬送経路を挟んで対向する側に配置されている。そのため、カバーフレーム１２を閉じた状態では、駆動手段２２により往復移動される可動刃２１の刃部と固定刃２７の刃部とが当接状態で摺動する。このことによって、感熱紙Ｓは紙出口Ｇ近傍で切断される。
【００３３】
（印刷部について）
図４に示すように、印刷部７０は、ロール紙ホルダー５０を始点として、カッター部２０の紙出口Ｇを終点とする感熱紙Ｓの搬送経路Ｄ上の出口近傍に設けられている。印刷部７０は、サーマルヘッド１０とヘッド保持機構７７とプラテン７１とを有している。なお、サーマルヘッド１０とヘッド保持機構７７とは本体フレーム６０側に、プラテン７１はカバーフレーム１２側に分離可能な状態で配設されている。
【００３４】
図５に示すように、サーマルヘッド１０は、放熱板１０６とヘッド支持軸１０２と基板としてのヘッド基板１１０とドライバーＩＣ１２０とＦＰＣ１０８とを有している。ヘッド基板１１０は、長矩形形状を呈しており、複数の発熱素子１４５からなる発熱素子列１４５ａが長手方向に沿って図中Ｚ方向上方に形成されている。また、発熱素子列１４５ａと平行して、発熱素子１４５を駆動する複数のドライバーＩＣ１２０が配設されている。放熱板１０６は、アルミニウム等の引き抜き材で形成され、ヘッド基板１１０が放熱板１０６の係止面１０６ａに両面粘着テープ等で貼り付けられている。
【００３５】
放熱板１０６のヘッド基板１１０のＺ方向上方には、案内斜面部１０４が放熱板１０６の長手方向にわたって形成されている。この案内斜面部１０４は、図４に示すカバーフレーム１２を閉じる際に、プラテン７１を滑動させて所定の位置まで案内する。この際、案内斜面部１０４の傾斜は、プラテン７１がヘッド基板１１０と衝突しないような所定の角度を有している。また、案内斜面部１０４の斜面は、この案内斜面部１０４に近接して付設されたヘッド基板１１０と略同じ高さになるように設定されている。ヘッド支持軸１０２は円柱状の丸ピンであり、放熱板１０６の左右の側面部に設けられた穴部に圧入されている。ＦＰＣ１０８は、一端をヘッド基板１１０に設けられた図示しない接続端子に接続され、他端は図４に示す中継部９５に接続されている。なお、この中継部９５が、データ記憶装置３００と内部接続端子４３およびコネクター９１を介して接続する機能を有し、プリンター本体部１８０の配線等が集約されている。
【００３６】
図４に示すヘッド保持機構７７は、本体フレーム６０に形成された溝部としての切り欠き部６２とヘッド押圧板７２とヘッド押圧板７２に取り付けられるバネ７５とから構成されている。切り欠き部６２は、本体フレーム６０の上方に開口を有するとともに複数の溝部が形成されている。サーマルヘッド１０は、ヘッド支持軸１０２が本体フレーム６０の切り欠き部６２の一部に挿入されることによって、本体フレーム６０に取り付けられる。ヘッド押圧板７２は、上下に曲げ部が形成され、圧縮コイルバネであるバネ７５が固定されている。このヘッド押圧板７２は、切り欠き部６２に挿入され、曲げ部がそれぞれ切り欠き部６２の一部に係合することによって本体フレーム６０に取り付けられる。
【００３７】
このようにすることによって、サーマルヘッド１０とヘッド押圧板７２とは、切り欠き部６２の両側に、互いに略平行状態で支持される。ヘッド押圧板７２に固定されるバネ７５は、サーマルヘッド１０の背面に当接する。このバネ７５によりサーマルヘッド１０はプラテン７１方向に付勢される。このヘッド保持機構７７は、ヘッド押圧板７２に固定されたバネ７５をサーマルヘッド１０の背面からずらすことによって、切り欠き部６２から取り外すことができる。サーマルヘッド１０もバネ７５からの付勢力がなくなることによって、切り欠き部６２から取り外すことができる。このようにして、サーマルヘッド１０は本体フレーム６０に対して、着脱可能に支持される。
【００３８】
図２および図４に示すように、プラテン７１は、ゴム等の弾性部材により円筒形のローラー状に形成され、プラテン軸受７３を介してカバーフレーム１２に回転可能に支持されている。プラテン７１の一方の軸には、プラテン歯車７４が圧入されている。本体フレーム６０には、溝部６４が設けられており、カバーフレーム１２を閉じると、プラテン７１が、サーマルヘッド１０の案内斜面部１０４（図５参照）に案内された後、プラテン軸受７３が溝部６４と当接する。さらに、サーマルヘッド１０によるプラテン７１への加圧力で、カバーフレーム１２には下向きの力が作用し、プラテン７１の位置が定められる。
【００３９】
以上の構成により、図４に示すように、プラテン７１は、感熱紙Ｓの内面Ｓ２の側から感熱紙Ｓをサーマルヘッド１０の方向に押圧し、プラテン７１と対向するサーマルヘッド１０は、感熱紙Ｓの外面Ｓ１の側から感熱紙Ｓをプラテン７１の方向に押圧して、感熱紙Ｓを挟持する。なお、このとき感熱紙Ｓの外面Ｓ１の表面に、前述の発色層が形成されている。また、図２に示すように、本体フレーム６０の側面には、プラテン７１を回転駆動させるための紙送りモーター６６と紙送り伝達歯車６７とが設けられている。上述のように、プラテン７１が本体フレーム６０の溝部６４に位置決めされることによって、プラテン歯車７４と紙送り伝達歯車６７とが噛み合い、紙送りモーター６６からの動力がプラテン７１へ伝達される。
【００４０】
上述の構成を有するサーマルプリンター１００は、上部カバー２２０と連結するカバーフレーム１２を開き感熱紙Ｓからなるロール紙Ｒをセットして、感熱紙Ｓを紙出口Ｇまで引き出し、上部カバー２２０と連結するカバーフレーム１２を閉じることによって、感熱紙Ｓはプラテン７１とサーマルヘッド１０との間、および可動刃２１と固定刃２７との間にセットされる。そして、紙送りモーター６６を起動しプラテン７１を回転させて感熱紙Ｓを送りながら、サーマルヘッド１０の直線状に配置された発熱素子１４５を選択的に通電して発熱させることによって、感熱紙Ｓに所定の情報を印刷することができる。また、カッター部２０を駆動して固定刃２７に対して可動刃２１を往復移動させることにより、情報が印刷された感熱紙Ｓを所定の長さに切断してレシート等の単票として発行することができる。
【００４１】
（データ記憶装置について）
ここで、データ記憶装置について、図６〜９を参照して説明する。図６は、データ記憶装置の外観を示す図であり、（ａ）は、外部接続端子側から見た斜視図、（ｂ）は、内部接続端子側から見た斜視図である。図７は、データ記憶装置の筐体の構造を説明する図であり、図８は、データ記憶装置およびプリンター本体部の構成を示すブロック図である。図９は、データ記憶装置とプリンター本体部との関係を示す斜視図である。なお、図６、図７および図９に示すＸ方向、Ｙ方向およびＺ方向は、図１〜４に示すＸ方向、Ｙ方向およびＺ方向と同一方向である。
【００４２】
本実施形態におけるデータ記憶装置３００は、上述のサーマルプリンター１００の駆動回路や会計情報をデータとして記憶するフィスカルメモリー等の電子部品が実装された基板を有している。サーマルプリンター１００（フィスカルプリンターともいう）は、販売等の商取引に際し顧客に渡すレシートや、業者用にレシートの内訳、売り上げの合計金額および商品品目ごとの合計金額等の会計情報を記録したジャーナルを個別に印刷して発行する。なお、サーマルプリンター１００は、駆動回路によって駆動制御される。
【００４３】
フィスカルメモリーは、これらの会計情報のうち税金に関する情報（以降、フィスカルデータという）を記憶する。このフィスカルデータは、例えば、徴税を確実なものとするために用いられ、必要に応じ政府の調査官がフィスカルデータを読み出し調査する。フィスカルメモリーに記憶されるフィスカルデータは改ざんできないようにする必要がある。そのため、データ記憶装置３００の仕様に関しては、法律（フィスカル法）で厳しく規制されている。このフィスカル法の内容やフィスカルデータの定義はそれぞれの国によって異なっている。
【００４４】
図６（ａ），（ｂ）に示すように、データ記憶装置３００は、本体ケース３１とメイン基板３２と外部接続端子４２と内部接続端子４３とを備える。図７に示すように、本体ケース３１は、第１筐体としての第１ケース３３と第２筐体としての第２ケース３４とから構成されている。第１ケース３３は、底面側が開放された略長方形の箱状に形成され、左側面３３ａには内部接続端子４３用の切り欠き部３６が形成され、外面としての前面３３ｂおよび後面３３ｃには複数の四角形の孔からなる第１通気孔３５が形成されている。図７（ｂ）に示すように、第１通気孔３５は、一辺の長さｍの四角形の孔がＹ方向およびＺ方向に一定のピッチｐ１，ｐ２で市松模様状に形成されている。
【００４５】
第２ケース３４は、底面３４ａと底面３４ａの左辺から立ち上がった左壁３４ｂと底面３４ａの右辺から立ち上がった右壁３４ｃとを有する。左壁３４ｂには内部接続端子４３用の切り欠き部３７が形成され、右壁３４ｃには外部接続端子４２用の穴部３８が形成されている。また、前面側および後面側には端面より一定の距離ｎをおいて、底面３４ａから直角に立ち上がる長方形の内壁３９がそれぞれ形成されている。内壁３９には複数の四角形の孔からなる第２通気孔４０が形成されている。図７（ｃ）に示すように、第２通気孔４０は、一辺の長さｍの四角形の孔がＹ方向およびＺ方向に一定のピッチｐ１，ｐ２で市松模様状に形成されている。また、第２ケース３４の底面３４ａには、図示しない基板取り付け部が設けられ、この基板取り付け部に後述するメイン基板３２が取り付けられる。
【００４６】
第１ケース３３と第２ケース３４とは、組み合わされることによって、図６に示す本体ケース３１を形成する。第１ケース３３と第２ケース３４とが組み合わされたとき、第１ケース３３の外面としての前面３３ｂおよび後面３３ｃに形成された第１通気孔３５の範囲に、第２ケース３４の内壁３９が配置される。第１ケース３３の前面３３ｂおよび後面３３ｃの内方向の面と第２ケース３４の内壁３９の外方向の面とは、わずかな距離ｎだけの間隔を隔てて配設される。
【００４７】
第１ケース３３の前面３３ｂおよび後面３３ｃに設けられた第１通気孔３５と第２ケース３４の内壁３９に設けられた第２通気孔４０とは、図７（ｂ），（ｃ）に示すように、孔部のサイズはほぼ同一であるが、形成される位置がＹ方向にピッチｐ１、Ｚ方向にピッチｐ２ずれている。そのため、外方向から本体ケース３１の内部をみたとき、第１通気孔３５と第２通気孔４０とは、わずかな距離ｎを隔てて、いわゆる互い違いに配置されているため、内部を窺うことができない。すなわち、本体ケース３１の内部空間は、外面の第１通気孔３５と内壁の第２通気孔４０とを介して屈曲した通気経路によって外部空間とつながっている。
【００４８】
なお、法律（フィスカル法）によって、本体ケース３１は容易に分解できない構造であること、また、許可なく分解したときはその履歴が残ることが要求されている。本実施形態では特に限定しないが、第１ケース３３と第２ケース３４とは、例えば、特殊工具を用いて締結したり、不可逆構造のフックを用いて固着したり、シール材や接着材で固定したりして組み立てることが好ましい。
【００４９】
次いで、メイン基板について、図８を参照して説明する。図８に示すように、メイン基板３２は、プリンター制御部７８とフィスカルデータ処理部８０と外部接続端子４２と内部接続端子４３とから構成されている。プリンター制御部７８は、プリンター制御用ＣＰＵ（Central Processing Unit）７９と、図示しない情報処理部と、サーマルヘッドや各種モーターを駆動する図示しないドライバー等を備えている。プリンター制御用ＣＰＵ７９は、図示しない操作系や検出系からの入力信号処理、印刷処理等の各種処理を実行し、プリンター本体部１８０（サーマルプリンター１００）を統括制御する。
【００５０】
フィスカルデータ処理部８０は、フィスカルメモリー８１と、ＥＪ（Electorical Journal)メモリー８２と、フィスカル制御部８３と、プロテクト回路８４と、ＲＴＣ（Real Time Clock)８７と、ＳＲＡＭ（Static Random Access Memory）８８と、バッテリー８９とを備える。フィスカルメモリー８１は、ワンタイムＲＯＭ（Read Only Memory）と呼ばれる１つのアドレスに１度しか書き込みできないタイプのメモリーを使用し、売り上げの集計値等の税金に関するフィスカルデータを記憶する。ＥＪメモリー８２は、電子ジャーナルメモリーであり、ＮＡＮＤ型フラッシュメモリー等の不揮発性記憶素子が適用され個々の売り上げデータ等を記憶する。
【００５１】
フィスカル制御部８３は、フィスカル制御用ＣＰＵ８５とプログラマブルＲＯＭ８６とを備える。フィスカル制御用ＣＰＵ８５は、フィスカルデータ処理部８０を統括制御し、会計情報等のデータを処理する。プログラマブルＲＯＭ８６は、プログラム可能な論理回路を書き込んだデバイスであり、フィスカルメモリー８１への書き込みや読み出しその他を制御する。プロテクト回路８４は、フィスカルメモリー８１やＥＪメモリー８２に記憶されるデータへの不正アクセスや改ざんの防止の機能を持っている。
【００５２】
ＲＴＣ８７は、リアルタイムクロックであり、年月日時間をカウントするＩＣである。ＳＲＡＭ８８は、ワーキングメモリーとして機能してフィスカルデータ等の各種データを一時的に格納したり、フィスカル制御用ＣＰＵ８５によって実行されるデータ処理等のプログラムを一時的に展開したりする。また、ＳＲＡＭ８８は、バッテリーバックアップ機能を有しており、バッテリー８９を電源としている。また、バッテリー８９は、ＲＴＣ８７にも電気を供給し、メイン電源が遮断された状態でも時間をカウントしている。
【００５３】
外部接続端子４２は、複数のポートを有しており、ホストコンピューター９０とプリンター制御部７８およびフィスカルデータ処理部８０とを接続し、ホストコンピューター９０とコマンドやデータの送受信を行う。また、外部接続端子４２は、フィスカルポートを有しており、政府の調査官がフィスカルメモリー８１のフィスカルデータを読み出すときのみに使われる。内部接続端子４３は、１つのコネクターで構成され、プリンター機構部１５０を含むプリンター本体部１８０に設けられたコネクター９１と接続し、印刷データや各種機構への駆動信号を送信したり、プリンター本体部１８０からのセンサー検出信号を受信したりする。なお、内部接続端子４３には図示しない電子スイッチが内包されている。電子スイッチは、データ記憶装置３００がプリンター本体部１８０から取り外されたことを電気的に検知して、信号をＲＴＣ８７に送る。ＲＴＣ８７では、信号を受信した時間を求め、その結果をいずれかのメモリーに送り記憶させる。
【００５４】
上述の構成を有するデータ記憶装置３００は、ホストコンピューター９０から送られるコマンドと会計情報を含む印刷データを、プリンター制御部７８で処理してプリンター本体部１８０で感熱紙Ｓに印刷してレシートとして発行する。また、データ記憶装置３００は、印刷データをフィスカルデータ処理部８０で処理して印刷データの中から必要データを抜き出し、ＥＪメモリー８２に順次記憶させる。ＥＪメモリー８２には、レシートごとにこのようなデータが蓄積される。さらには、印刷データやＳＲＡＭ８８に一時格納されたデータの中から、税金に関係するフィスカルデータを選択してフィスカルメモリー８１に記憶させる。このとき必要に応じ、ＲＴＣ８７による時間情報等も付与される。この選択および処理は、主にプログラマブルＲＯＭ８６に格納されるプログラムを用いフィスカル制御用ＣＰＵ８５で制御される。
【００５５】
法律（フィスカル法）では、フィスカルメモリー８１やＥＪメモリー８２に容易にアクセスできないことと、許可なくアクセスした場合はその履歴が残ることが要求されている。そのため、フィスカルメモリー８１およびＥＪメモリー８２の前段にはプロテクト回路８４が設けられ、例えば、フィスカル制御用ＣＰＵ８５から発せられる許可信号に基づいてのみアクセスが許可される。なお、このプロテクト回路８４の仕様については、特に限定しない。マイコンであってもよいし、ＣＰＬＤ（Complex Programmable Logic Device）であってもよい。
【００５６】
政府の調査官が、調査のためにフィスカルメモリー８１のフィスカルデータを読み出すときは、例えば、秘密のＩＤ情報を使用して専用のフィスカルポートを用いる。フィスカル制御用ＣＰＵ８５では、ＩＤ情報を認識してプロテクト回路８４の読み取り許可信号を発してフィスカルメモリー８１へのアクセスを許可する。なお、必要に応じＥＪメモリー８２へのアクセスも許可する。なお、このアクセス履歴は、ＲＴＣ８７による時間情報が付与され、フィスカルメモリー８１に記憶される。
【００５７】
図４および図９に示すように、データ記憶装置３００は、サーマルプリンター１００のプリンター本体部１８０にドッキングされる。詳しくは、図９に示す外装ケース２００の下ケース２０５の後部に形成された挿入口２０５ａから挿入され、図４に示す中継部９５に配置された１つのコネクター９１にデータ記憶装置３００の１つの内部接続端子４３が接続される。法律（フィスカル法）では、データ記憶装置３００がプリンター本体部１８０から容易に取り外しできない構造であること、また、許可なく取り外したときはその履歴が残ることが要求されている。そのため、データ記憶装置３００は、プリンター本体部１８０から容易に取り外しできないようにロックされる。本実施形態では、ロック構造について特に限定しないが、データ記憶装置３００とプリンター本体部１８０とをワイヤー等で固定し、ワイヤーの接合部にタグを固着してもよい。
【００５８】
上述の構造を有するデータ記憶装置３００に対して、フィスカルメモリー８１に記憶されるフィスカルデータへの不正アクセスや改ざんを目的として、例えば、外部接続端子４２から電気的アクセスを試みる場合は、図８に示すプロテクト回路８４によって阻止される。また、例えば、データ記憶装置３００を取り外そうとする場合は、上記ロック構造により阻止される。取り外す場合は、ワイヤーの切断もしくはタグを破壊しなければならないため履歴が残る。さらには、取り外した場合は、内部接続端子４３に内包される電子スイッチが、データ記憶装置３００がプリンター本体部１８０から取り外されたことを電気的に検知して、ＲＴＣ８７の時間情報を付加していずれかのメモリーに記憶する。
【００５９】
例えば、データ記憶装置３００の本体ケース３１の分解を試みる場合は、本体ケース３１は、特殊工具を用いて締結したり、不可逆構造のフックを用いて固着したり、シール材や接着材で固定されている。そのため、容易に分解できないとともに分解履歴が残る。このようにして、データ記憶装置３００のフィスカルメモリー８１に記憶されるフィスカルデータの不正アクセスや改ざんは防止される。
【００６０】
以下、実施形態の効果を記載する。
（１）法律（フィスカル法）で、データ記憶装置３００内部への機械的アクセスを防止するために、外部から極細のピン（例えば、Φ０．４程度）がデータ記憶装置３００の内部に侵入できないことが要求されている。上述のデータ記憶装置３００は、第１ケース３３に設けられた第１通気孔３５と第２ケース３４の内壁３９に設けられた第２通気孔４０とは、わずかな距離ｎを隔てて互い違いに配置されている。そのため、内部を窺うことができない構造、すなわち、極細のピンが進入できない構造でありながら、本体ケース３１の内部空間と外部空間とは、第１通気孔３５と第２通気孔４０とを介して屈曲した通気経路によってつながっている。そのため、電子部品の発熱によって温度上昇した内部の空気を外部に放出することができる。その結果、データ記憶装置３００内部の過度な温度上昇を防止することができ、過度な温度の上昇による電子部品の特性変動を低減することができる。従って、信頼性の高いサーマルプリンター１００を提供することができる。
【００６１】
以上、本発明の実施形態について説明したが、上記実施形態に対しては、本発明の趣旨から逸脱しない範囲で様々な変形を加えることができる。例えば上記実施形態以外の変形例は、以下の通りである。
【００６２】
（変形例１）上記実施形態では、第１通気孔３５と第２通気孔４０とがほぼ同一形状で同一サイズの場合について説明したがこれは一実施例であり、様々なバリエーションがある。第１通気孔３５および第２通気孔４０の形状は丸であってもよいし長孔であってもよいし、互いに異なっていてもよい。第１通気孔３５側からデータ記憶装置３００の内部を窺ったとき内部が見えない形状、サイズであればよい。
【００６３】
（変形例２）上記実施形態では、データ記憶装置３００が、サーマルプリンター１００の駆動制御回路とフィスカルメモリー等の記憶部分とが同一の本体ケース３１内に収容されている場合を例に説明したがこれに限定されない。サーマルプリンター１００の駆動制御回路とフィスカルメモリー等の記憶部分とが別のケースに収容されていてもよい。各々のケースに上記の構造の通気孔を設けてもよい。
【符号の説明】
【００６４】
１０…サーマルヘッド、２０…カッター部、３１…筐体としての本体ケース、３２…メイン基板、３３…第１筐体としての第１ケース、３４…第２筐体としての第２ケース、３５…第１通気孔、３９…内壁、４０…第２通気孔、４２…外部接続端子、４３…内部接続端子、６０…本体フレーム、７８…プリンター制御部、７９…プリンター制御用ＣＰＵ、８０…フィスカルデータ処理部、８１…フィスカルメモリー、８２…ＥＪメモリー、８３…フィスカル制御部、８４…プロテクト回路、８５…フィスカル制御用ＣＰＵ、９０…ホストコンピューター、９５…中継部、１００…サーマルプリンター、１５０…プリンター機構部、１８０…プリンター本体部、２００…外装ケース、３００…データ記憶装置。
【図１】
2011116043.tif 000003
【図２】
2011116043.tif 000004
【図３】
2011116043.tif 000005
【図４】
2011116043.tif 000006
【図５】
2011116043.tif 000007
【図６】
2011116043.tif 000008
【図７】
2011116043.tif 000009
【図８】
2011116043.tif 000010
【図９】
2011116043.tif 000011